(57)【要約】【課題】配送業者が荷物を配送時に、配送先近隣の路上にて、配送車両が他車両の交通の妨げになることを防ぐこと。【解決手段】実施形態に係る配送経路作成装置は、位置情報取得部と、駐車位置決定部と、経路作成部と、を備える。位置情報取得部は、配送先の位置情報を取得する。駐車位置決定部は、位置情報取得部が取得した配送先の位置情報に基づいて、配送車両を駐車する駐車位置を決定する。経路作成部は、駐車位置決定部が決定した駐車位置に基づいて、配送経路を作成する。【選択図】図１
2020052836.tif 000002
【特許請求の範囲】
【請求項１】
配送先の位置情報を取得する位置情報取得部と、
前記位置情報に基づいて配送車両を駐車する駐車位置を決定する駐車位置決定部と、
前記駐車位置に基づいて配送経路を作成する経路作成部と、を備える配送経路作成装置。
【請求項２】
請求項１に記載の配送経路作成装置であって、前記駐車位置は駐車場であり、さらに、
前記駐車場の予約時刻を取得する予約時刻取得部、を備え、
前記経路作成部は、前記予約時刻に基づいて配送経路を作成する配送経路作成装置。
【請求項３】
請求項２に記載の配送経路作成装置であって、
前記経路作成部は、前記予約時刻に基づいて配送先への到着予想時刻を導出し、前記到着予想時刻を配送先へ通知する、配送経路作成装置。
【発明の詳細な説明】
【技術分野】
【０００１】
本発明は、配送経路作成装置に関する。
【背景技術】
【０００２】
配送業者が自ら作成した配送経路や配送スケジュールに基づいて配送を行っている。特許文献１は、顧客の在宅確率に基づいて配送スケジュールを作成する配送スケジュール管理システムを開示している。
【０００３】
しかし、配送業者は、特許文献１の配送スケジュール管理システムによって作成された配送スケジュールに基づいて配送した場合、配送先の近隣路上に配送車両を駐車することになる。その結果、配送先近隣の路上にて、他車両の交通の妨げになる虞がある。
【先行技術文献】
【特許文献】
【０００４】
【特許文献１】特開２０１３−１６７９７２号公報
【発明の概要】
【発明が解決しようとする課題】
【０００５】
本発明の目的は、配送先近隣の路上にて、配送業者の車両が他車両の交通の妨げになることを防ぐことができる配送経路作成装置を提供することである。
【課題を解決するための手段】
【０００６】
本発明による配送経路作成装置は、配送先の位置情報を取得する位置情報取得部と、前記位置情報に基づいて配送車両を駐車する駐車位置を決定する駐車位置決定部と、前記駐車位置に基づいて配送経路を作成する経路作成部と、を備える。
【発明の効果】
【０００７】
本発明は、配送先近隣の路上にて、配送業者の車両が他車両の交通の妨げになることを防ぐことができる。
【図面の簡単な説明】
【０００８】
【図１】実施形態に係る配送経路作成装置を含むシステムの構成を示す図である。
【図２】図１に示す配送経路作成装置の構成を示すブロック図である。
【図３】図１に示すシステムの動作を示すシーケンス図である。
【図４】配送先近隣の駐車場の一例を示す図である。
【発明を実施するための形態】
【０００９】
以下、図面を参照し、本発明の実施の形態を詳しく説明する。図中同一又は相当部分には同一符号を付してその説明は繰り返さない。
【００１０】
（システムの構成）
まず、図１を用いて、実施形態に係る配送経路作成装置を含むシステムの構成について説明する。図１は、実施形態に係る配送経路作成装置１を含むシステムの構成を示す図である。図１に示すシステムは、配送経路作成装置１と、配送管理サーバ２と、駐車場管理サーバ３と、配送先端末４とを備える。
【００１１】
配送経路作成装置１は、例えば、ナビゲーション装置である。ナビゲーション装置としての配送経路作成装置１は、例えば、荷物を配送する配送人（操作者）の入力を受け付けるタッチパネル等の入力インターフェース（図示せず）を備える。配送経路作成装置１は、入力インタフェースを操作して設定した目的地までの経路を探索し、探索した経路に従って目的地まで配送人を案内する機能を有する。
【００１２】
また、配送経路作成装置１は、インターネット等のネットワークを介して、各種施設等の情報の取得や、各種施設等を利用するための予約等を行う機能を有する。各種施設は、具体的には駐車場である。各種施設は、コインパーキングと、駐車場を併設した公共施設と、時間制限駐車区間等の路上にあるような駐車可能なスペースとを含む。つまり、配送経路作成装置１は、配送先の位置情報と各種施設の情報とに基づいて、配送先近隣の駐車場を特定する。配送経路作成装置１は、特定した駐車場の予約を要求する予約要求を、配送管理サーバ２を介して駐車場管理サーバ３に送信する。詳細については後述するが、予約要求は、予約を希望する駐車場を特定する情報と、予約希望時間帯とを含む。
【００１３】
なお、配送経路作成装置１は、上記したナビゲーション装置とは別体で構成され、ナビゲーション装置を制御する制御装置であってもよい。
【００１４】
図１に示すように、配送経路作成装置１は、配送管理サーバ２と、配送先端末４と、インターネット等のネットワークを介して通信する。また、配送管理サーバ２と、駐車場管理サーバ３とは、インターネット等のネットワークを介して通信する。
【００１５】
配送管理サーバ２は、 配送業者が使用するサーバであり、配送人が荷物を配送すべき配送先の位置情報を記憶する。また、配送管理サーバ２は、予約要求を配送経路作成装置１から受信した場合、受信した予約要求を駐車場管理サーバ３に転送する。配送管理サーバ２は、駐車場管理サーバ３から予約完了通知を受信した場合、受信した予約完了通知を配送経路作成装置１に転送する。
【００１６】
駐車場管理サーバ３は、コインパーキング等の駐車場を管理する。駐車場管理サーバ３は、駐車場の予約要求を、配送経路作成装置１から配送管理サーバ２を経由し受け付けた場合、予約要求に従って駐車場を予約する。駐車場管理サーバ３は、予約が完了した場合、予約完了通知を配送管理サーバ２に送信する。
【００１７】
配送先端末４は、荷物の配送先に設置された通信端末であり、例えば、携帯電話やスマートフォンである。
【００１８】
（配送経路作成装置１の構成）
図２は、図１に示す配送経路作成装置１の構成を示す機能ブロック図である。図２に示すように、配送経路作成装置１は、位置情報取得部１１と、駐車位置決定部１２と、予約時刻取得部１３と、経路作成部１４と、経路案内部１５と、記憶部１６とを備える。記憶部１６は、配送先情報５１と、駐車場情報５２と、地図情報５３とを記憶する。
【００１９】
ここで、配送経路作成装置１は、たとえば、ＣＰＵ（Central  Processing  Unit）、ＲＯＭ（Read  Only  Memory）、ＲＡＭ（Random  Access  Memory）、データフラッシュ、入出力ポートなどを有するコンピュータや各種の回路を含む。
【００２０】
コンピュータのＣＰＵは、たとえば、ＲＯＭに記憶されたプログラムを読み出して実行することによって、位置情報取得部１１、駐車位置決定部１２、予約時刻取得部１３、経路作成部１４および経路案内部１５として機能する。
【００２１】
位置情報取得部１１、駐車位置決定部１２、予約時刻取得部１３、経路作成部１４および経路案内部１５の少なくともいずれか一つまたは全部をＡＳＩＣ（Application  Specific  Integrated  Circuit）やＦＰＧＡ（Field  Programmable  Gate  Array）等のハードウェアで構成することもできる。
【００２２】
記憶部１６は、たとえば、ＲＡＭやデータフラッシュに対応する。ＲＡＭやデータフラッシュは、配送先情報５１、駐車場情報５２、地図情報５３および各種プログラムの情報等を記憶することができる。なお、配送経路作成装置１は、有線や無線のネットワークで接続された他のコンピュータや可搬型記録媒体を介して上記したプログラムや各種情報を取得することとしてもよい。
【００２３】
位置情報取得部１１は、配送先の位置情報を記録した配送先情報５１を配送管理サーバ２から取得する。配送先の位置情報は、例えば、配送先の緯度経度を記録した情報であってもよく、配送先の建物に関する情報であってもよい。建物に関する情報とは、例えば、自宅や、勤務先等の荷受人により登録された配送先の分類であってもよい。あるいは、建物に関する情報は、ホテルや、ショッピングモール、コンビニエンスストア等といった建物名あるいは店舗名であってもよい。
【００２４】
駐車位置決定部１２は、位置情報取得部１１が取得した配送先情報５１に基づいて、配送車両を駐車するための駐車場を決定する。
【００２５】
予約時刻取得部１３は、駐車位置決定部１２が決定した駐車場の予約時刻を取得する。具体的には、予約時刻取得部１３は、駐車位置決定部１２が決定した駐車場の予約要求を、配送管理サーバ２を介して駐車場管理サーバ３に送信する。予約時刻取得部１３は、配送管理サーバ２を介して駐車場管理サーバ３から予約完了通知を受信することにより、駐車場の予約時刻を取得する。予約時刻は、配送車両が該駐車場に到達可能な未来の日時である。予約要求に含まれる予約希望時間帯は、配送車両の現在位置や配送人により入力された配送予定時刻等に基づき算出される。
【００２６】
経路作成部１４は、駐車位置決定部１２が決定した駐車場の位置や名称の情報と、予約時刻取得部１３が取得した予約時刻と、配送車両の現在位置とに基づいて、配送経路を作成する。
【００２７】
経路案内部１５は、経路作成部１４が作成した配送経路に基づいて、配送人に対して配送先までの経路案内を行う。
【００２８】
配送先情報５１は、配送先の位置情報と、配送先の荷受人の情報とを含む。配送先の位置情報は、配送先の住所や、配送先の緯度経度の情報である。荷受人の情報とは、荷受人の氏名、荷受人の連絡先（電話番号、メールアドレス）である。
【００２９】
駐車場情報５２は、全国の駐車場の位置情報と、収容可能な車両台数と、現時点での車両の収容状況と、予約の可否を示す情報とを含む。駐車場情報５２は、全国の駐車場に係る情報ではなく、配送先エリア等の特定の範囲にある駐車場に係る情報を含んでいればよい。
【００３０】
地図情報５３は、全国の建物や道路網の位置関係等に係る情報であり、所謂地図データである。地図情報５３は、全国の地図データではなく、配送先エリア等の特定の範囲内の地図データを含んでいればよい。
【００３１】
（システムの動作）
次に、再度図１を参照して、配送経路作成装置１を含むシステムの処理の概略について説明する。
【００３２】
配送経路作成装置１は、配送先近隣の駐車場を決定し、決定した駐車場の予約を要求する予約要求を配送管理サーバ２に送信する（ステップＳ１１）。
【００３３】
配送管理サーバ２は、ステップＳ１１で送信された予約要求を、駐車場管理サーバ３に転送する。（ステップＳ１２）。
【００３４】
駐車場管理サーバ３は、配送管理サーバ２から転送された予約要求に基づいて、駐車場の予約処理を実行する。駐車場管理サーバ３は、駐車場の予約が完了したことを示す予約完了通知を配送管理サーバ２へ送信する（ステップＳ１３）。
【００３５】
配送管理サーバ２は、駐車場管理サーバ３から予約完了通知を受信した場合、受信した予約完了通知を配送経路作成装置１へ転送する（ステップＳ１４）。
【００３６】
配送経路作成装置１は、配送先情報５１と、予約された駐車場の位置情報と、予約された駐車場の予約時刻に係る情報に基づいて、配送経路を作成する。配送経路を作成する際に、予約された駐車場の到着予想時刻が算出される。配送経路作成装置１は、算出された駐車場の到着予想時刻と、駐車場の位置情報と、配送先の位置情報とに基づいて、配送先への到着予想時刻を導出する。
【００３７】
配送経路作成装置１は、導出された配送先への到着予想時刻を、配送先端末４へ送信する（ステップＳ１５）。
【００３８】
次に、図３を参照して、配送経路作成装置１を含むシステムの処理の詳細について説明する。図３は、図１に示すシステムの動作を示すシーケンス図である。なお、図３においては、図１の駐車場管理サーバ３を省略する。以下の説明では、駐車場管理サーバ３が、ステップＳ２２で決定される全ての駐車場の予約を受付可能であると仮定する。
【００３９】
配送経路作成装置１において、位置情報取得部１１が、配送先情報５１を配送管理サーバ２から取得する（ステップＳ２１）。なお、位置情報取得部１１は、配送先情報５１を配送管理サーバ２から取得するのではなく、配送人が配送経路作成装置１の入力インタフェースから配送先情報５１を入力してもよい。あるいは、配送経路作成装置１は、配送先情報５１を記録した記録媒体から、配送先情報５１を読み出してもよい。
【００４０】
駐車位置決定部１２は、位置情報取得部１１により取得された配送先情報５１に基づいて、配送先近隣の駐車場を決定する（ステップＳ２２）。配送先情報５１は、上述のように、配送先の位置情報と、配送先の荷受人の情報とを含む。なお、配送先情報は、荷受人が指定した配送希望時間帯を含んでいてもよい。ステップＳ２２の詳細については後述する。予約要求は、ステップＳ２２で決定された駐車場を特定する情報と、予約希望時間帯とを含む。
【００４１】
予約時刻取得部１３は、ステップＳ２２で決定した駐車場に係る情報を含む予約要求を配送管理サーバ２に送信する（ステップＳ２３）。なお、図３のステップＳ２３は、図１に示すステップＳ１１（予約要求）に相当する処理である。
【００４２】
配送管理サーバ２は、配送経路作成装置１から受信した予約要求を、駐車場管理サーバ３に転送する（ステップＳ２４）。なお、図３のステップＳ２４は、図１のステップＳ１２（予約要求）に相当する処理である。駐車場管理サーバ３は、配送管理サーバ２から受信した予約要求に基づいて、予約要求で指定された駐車場を予約する。駐車場管理サーバ３は、指定された駐車場の予約が完了した場合、予約完了通知を配送管理サーバ２に送信する。
【００４３】
配送管理サーバ２は、駐車場管理サーバ３から予約完了通知を受信する（ステップＳ２５）。なお、図３のステップＳ２５は、図１のステップＳ１３（予約完了通知）に相当する処理である。予約完了通知には、予約された駐車場の所在地や名称、予約時間帯等の情報が含まれる。
【００４４】
配送管理サーバ２は、受信した予約完了通知を配送経路作成装置１へ転送する（ステップＳ２６）。なお、図３のステップＳ２６は、図１のステップＳ１４（予約完了通知）に相当する処理である。
【００４５】
経路作成部１４は、駐車位置決定部１２により決定された駐車場の位置情報と、予約完了通知で指定された各駐車場の予約時間帯と、配送車両の現在位置とに基づいて、配送経路を作成する（ステップＳ２７）。経路作成部１４は、予約完了通知に含まれる駐車場に係る情報と、配送先情報５１とに基づいて、配送先への到着予想時刻を導出する（ステップＳ２８）。到着予想時刻導出（ステップＳ２８）の詳細については、図４を用いて後述する。
【００４６】
経路作成部１４は、導出された到着予想時刻を、例えば配送先の荷受人が所有する端末である、配送先端末４へ送信する（ステップＳ２９）。なお、図３のステップＳ２９は、図１のステップＳ１５（到着予想時刻通知）に相当する処理である。
【００４７】
次に、図４を参照して、駐車場決定処理（図３に示すステップＳ２２）の詳細を説明する。図４は、配送先近隣の駐車場の一例を示す図である。
【００４８】
位置情報取得部１１が、図４に示す配送先Ａ〜Ｃに係る配送先情報５１を取得したと仮定する。例えば、配送先Ａ〜Ｃは、所定の時間帯に荷物を配送すべき配送先として、複数の配送先の中から、配送人により選択される。あるいは、配送先Ａ〜Ｃは、複数の配送先のうち、同一の配送希望時間帯が指定された配送先である。所定の時間帯及び配送希望時間帯は、例えば、午前中や、１６時〜１８時等の範囲である。
【００４９】
配送人は、配送経路作成装置１を操作して、配送する順序を配送先Ａ、配送先Ｂ、配送先Ｃと指定する。なお、出発地は、配送車両の現在位置であり、目的地は、配送事業者の事業所である。
【００５０】
図４に示すように、駐車位置決定部１２は、駐車場情報５２に記録された駐車場のうち、配送先を中心に所定の距離Ｒを半径とする円の内側に位置する駐車場を決定候補に挙げる。なお、所定の距離Ｒは、過去に配送人が駐車した位置と、配送先との距離のデータに基づいて適切な距離として予め決められた値であってもよく、配送人が任意に決定する値でもよい。図４に示す例の場合、配送先Ａの近隣駐車場の候補は、駐車場ａ１で一意に決まる。
【００５１】
駐車位置決定部１２は、配送先Ａの近隣駐車場の決定と同様に、配送先Ｂを中心に半径Ｒの内側に位置する駐車場を、配送先Ｂの決定候補に挙げる。図４に示す例では、駐車場ｂ１と駐車場ｂ２とが配送先Ｂの決定候補に挙がる。複数の決定候補が挙げられた場合、駐車位置決定部１２は、所定の条件に基づいて、駐車場ｂ１及びｂ２のうち一方を、配送先Ｂへの配送に使用する駐車場として決定する。
【００５２】
ここで、所定の条件とは、例えば、配送車両の進行方向左側に位置する駐車場を優先することである。この場合、駐車位置決定部１２は、駐車場ａ１から駐車場ｂ１に向かう第１の仮経路と、駐車場ａ１から駐車場ｂ２に向かう第２の仮経路とを作成する。第１の仮経路は、矢印ｙ１、矢印ｙ２、矢印ｙ３の順に進む経路である。第２の仮経路は、矢印ｙ１、矢印ｙ４、矢印ｙ５の順に進む経路である。
【００５３】
この場合、矢印ｙ１、矢印ｙ４、矢印ｙ５の順に進む第２の仮経路では、配送先Ｂから距離Ｒの範囲内にあり、先述の所定の条件に合致する駐車場は存在しない。しかし、矢印ｙ１、矢印ｙ２、矢印ｙ３の順に進む第１の仮経路であれば駐車場ｂ１が所定の条件に合致する。したがって、駐車場ｂ１が、配送先Ｂの近隣駐車場として決定される。この場合、経路作成部１４は、図３に示すステップＳ２７において、第１の仮経路を含む配送経路を作成する。
【００５４】
駐車位置決定部１２は、配送先Ａの近隣駐車場として駐車場ａ１を決定した時と同様に、配送先Ｃの近隣駐車場として駐車場ｃを決定する。
【００５５】
複数の決定候補の中から１つを選択するための所定の条件として、配送車両の進行方向左側に位置する駐車場を優先する、とした。これは、法規上車両が道路の左側を通行する場合、路側へのアクセスは進行方向左側の方が行い易いためである。
【００５６】
所定の条件は、走行予定の道路上で進行方向を基準とした駐車場の位置に限定されず、例えば、配送先と駐車場との位置関係に係るものであってもよい。
【００５７】
具体的には、配送先に対して、道路を挟まない位置にある駐車場を優先する、という条件が挙げられる。この条件の場合、図４においては、配送先Ｂの近隣駐車場として、駐車場ｂ２が決定される。これにより、配送人は、配送車両を駐車後に徒歩にて荷物を配送先へ運搬する際、道路を横断する必要が無くなる。あるいは、複数の決定候補が挙げられた場合、所定の条件は、配送先に最も近いことであってもよい。
【００５８】
このように、複数の決定候補の中から１つを選択する所定の条件は、配送人によって適宜選択されてもよい。
【００５９】
ここまで、配送先への配送順序を配送先Ａ、配送先Ｂ、配送先Ｃである場合に、駐車位置決定部１２が、各配送先に対応する駐車場を決定する方法について説明した。次に、予約時刻取得部１２が、ステップＳ２２で決定された駐車場の予約を要求するステップＳ２３について説明する。
【００６０】
配送先Ａ、配送先Ｂ、配送先Ｃの近隣駐車場として、駐車場ａ１、駐車場ｂ１、駐車場ｃが決定された場合、予約時刻取得部１３は、駐車場ａ１、ｂ１、ｃの各々の予約を要求する予約要求を送信する。予約要求は、予約希望時間帯を含む。予約希望時間帯は、上述の所定の時間帯または配送先Ａ〜Ｃに共通する配送希望時間帯である。
【００６１】
しかし、予約要求で指定した予約希望時間帯において、駐車場ａ１、ｂ１、ｃを予約できない場合がある。この場合、予約時刻取得部１３は、駐車位置決定部１２が再度決定した駐車場を予約すればよい。例えば、予約時刻取得部１３は、駐車場ａ１の予約希望時間帯に駐車場ａ１の空きがない場合は、次に配送先Ａに近い駐車場ａ２の予約を再び要求すればよい。
【００６２】
一方で、各々の配送先近隣の駐車場を予約できた時間帯によっては、配送人が希望する配送順序の変更が必要な場合もある。この場合は、配送経路作成装置１が配送人に対して、各駐車場の予約可能な時間帯を掲示し、配送順序の見直しを促したり、配送順序や到着時刻等も含めた配送経路を配送人に提案したりすればよい。
【００６３】
次に、配送先への到着予想時刻の導出（ステップＳ２８）について説明する。経路作成部１４は、ステップＳ２７において配送経路を作成することにより、各駐車場への到着時刻を予想する。各駐車場への到着予想時刻は、例えば、現在の時刻や、現在の配送車両位置から駐車場までの距離等に基づいて算出される。
【００６４】
そして、経路作成部１４は、駐車場への到着予想時刻を用いて配送先への到着予想時刻を導出する。配送先への到着予想時刻は、予約された駐車場から配送先までの距離から、徒歩で要する時間を算出し、算出した時間を駐車場への到着予想時刻に加算することによって導出される。その際、道路を横断する必要がある場合は、信号での待ち時間等を考慮して、到着予想時刻を遅らせる処理を加えてもよい。また、配送する荷物の量や重さによる配送人への負担を考慮し、到着予想時刻を遅らせる等の処理を加えてもよい。
【００６５】
（変形例）
上述のように、配送経路作成装置１は、配送先の位置情報に基づいて、配送先近隣の駐車場を決定し、決定した駐車場の予約を配送管理サーバ２を介して駐車場管理サーバ３に要求する。配送経路作成装置１は、予約された駐車場の位置を用いて配送経路を作成する。これにより、配送車両を路上に駐車させることなく配送することが可能となるため、配送車両が他車両の交通の妨げになることを防ぐことができる。
【００６６】
なお、上記実施の形態では、配送経路作成装置１がナビゲーション装置である例を説明したが、これに限られない。配送管理サーバ２が、配送経路作成装置１の機能を備えていてもよい。
【００６７】
上記実施の形態では、配送先近隣の駐車場を予約する例を説明したが、これに限られない。配送経路作成装置１は、予約することなく利用できる駐車場を配送先の近隣駐車場として決定してもよい。この場合、配送経路作成装置１は、駐車場の予約要求を送信しなくてもよい。
【００６８】
上記実施の形態では、駐車位置決定部１２が、全ての配送先の近隣駐車場を決定する例を説明したが、これに限られない。駐車位置決定部１２は、配送先情報５１により特定される配送先のうち、少なくとも１つの配送先の近隣駐車場を決定すればよい。この場合、経路作成部１４は、少なくとも１つの配送先の近隣駐車場の位置を用いて、配送経路を作成すればよい。
【００６９】
上記実施の形態では、駐車位置決定部１２が、配送先近隣の駐車場を決定する例を説明したが、これに限られない。駐車位置決定部１２は、配送先近隣において駐車可能な位置を決定すればよい。駐車可能な位置とは、例えば、駐車禁止が設定されていない道路である。この場合、駐車場情報５２が、駐車禁止が設定されていない道路を特定する情報を記録していればよい。
【００７０】
上記実施の形態では、経路作成部１４が、駐車場が予約された後に配送経路を作成する例を説明したが、これに限られない。経路作成部１４は、ステップＳ２２により決定された駐車場の位置に基づいて配送経路を作成し、各駐車場への到着予想時刻を算出してもよい。予約時刻取得部１３は、経路作成部１４により算出された到着予想時刻を含む時間帯を予約希望時間帯として含む予約要求を送信すればよい。
【００７１】
上述のように、実施形態に係る配送経路作成装置１は、配送先の位置情報に基づいて配送車両を駐車する駐車位置を決定し、決定された駐車位置に基づいて配送経路を作成する。
【００７２】
したがって、実施形態に係る配送経路作成装置１によれば、配送先近隣の路上にて、配送業者の車両が他車両の交通の妨げになることを防ぐことができる。
【００７３】
また、配送経路作成装置１は、駐車場の予約時刻を取得し、該予約時刻に基づいて配送経路を作成する。
【００７４】
したがって、実施形態に係る配送経路作成装置１によれば、配送時の駐車場を予約することにより、配送人が配送車両の駐車スペースを確保できるため、交通の妨げになることをさらに防ぐことができる。
【００７５】
また、配送経路作成装置１は、配送先への到着予想時刻を導出し、該到着予想時刻を配送先へ通知する。
【００７６】
したがって、実施形態に係る配送経路作成装置１によれば、荷受人が配送時刻を知ることができる。
【００７７】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００７８】
１    配送経路作成装置
２    配送管理サーバ
３    駐車場管理サーバ
４    配送先端末
１１    位置情報取得部
１２    駐車位置決定部
１３    予約時刻取得部
１４    経路作成部
１５    経路案内部
１６    記憶部
５１    配送先情報
５２    駐車場情報
５３    地図情報
【図１】
2020052836.tif 000003
【図２】
2020052836.tif 000004
【図３】
2020052836.tif 000005
【図４】
2020052836.tif 000006